(57)【要約】【課題】通信端末において、紛失した通信端末にメッセージを送信することにより、通信端末内に記憶されている電話帳データの情報を読み出し、さらに、個人情報の流出を防止することを目的とする。【解決手段】メッセージ２００を送受信するメッセージ送受信部１０と、電話帳データ３１と相手先登録情報３１を記憶するデータ記憶部３００と、受信したメッセージの差出人を認証する相手先認証部２１と、受信したメッセージの内容を解析するメッセージ解析部２２と、返信メッセージを自動的に作成する返信メッセージ作成処理部２３を備え、メッセージ解析部２２は、受信したメッセージが電話帳データ検索コマンドを含む場合に、該当する電話帳データ３２をメモリ３０より検索し、返信メッセ−ジ作成処理部２３は、メッセージ解析部２２で検索した検索結果である電話帳データを含む返信メッセージを作成し、メッセージ送受信部１０から返信メッセージを送信する。【選択図】図２
2007282150.tif 000002
【特許請求の範囲】
【請求項１】
電話帳データを記憶するデータ記憶部と、
通信回線を介して、メッセージを受信するメッセージ受信部と、
メッセージ受信部が受信したメッセージに電話帳データを検索する電話帳データ検索コマンドを含むか否かを処理装置により解析し、受信したメッセージが電話帳データ検索コマンドを含む場合に、データ記憶部に記憶された電話帳データを電話帳データ検索コマンドに従って処理装置により検索するメッセージ解析部と、
メッセージ解析部で検索した電話帳データを含むメッセージを処理装置により作成する返信メッセージ作成処理部と、
返信メッセージ作成処理部が作成したメッセージを、通信回線を介して送信するメッセージ送信部と
を備えたことを特徴とする通信端末。
【請求項２】
前記データ記憶部は、さらに、メッセージ差出人を認証するための相手先登録情報を記憶し、
通信端末は、さらに、データ記憶部に記憶された相手先登録情報に基づいて、メッセージ差出人を認証する相手先認証部を備えたことを特徴とする請求項１記載の通信端末。
【請求項３】
メッセージ受信部が受信するメッセージは、電子メールであり、
メッセージ送信部が送信するメッセージは、電子メールであることを特徴とする請求項１記載の通信端末。
【請求項４】
データを記憶するデータ記憶部と、
情報を記憶できる外部メモリを装着する外部メモリ装着部と、
通信回線を介して、メッセージを受信するメッセージ受信部と、
メッセージ受信部が受信したメッセージに情報流出防止を要求する情報流出防止コマンドを含むか否かを処理装置により解析するメッセージ解析部と、
メッセージ解析部による解析の結果、受信したメッセージに情報流出防止コマンドを含まれていることが判明した場合に、外部メモリに記憶された情報を処理装置により消去する外部メモリ消去部と、
メッセージ解析部による解析の結果、受信したメッセージに情報流出防止コマンドを含まれていることが判明した場合に、外部メモリ消去部の処理と電源ＯＮ／ＯＦＦの処理とを除く他の処理を処理装置により制限する端末制御部と
を備えたことを特徴とする通信端末。
【請求項５】
前記データ記憶部は、さらに、メッセージ差出人を認証するための相手先登録情報を記憶し、
通信端末は、さらに、データ記憶部に記憶された相手先登録情報に基づいて、メッセージ差出人を認証する相手先認証部を備えたことを特徴とする請求項４記載の通信端末。
【請求項６】
メッセージ受信部が受信するメッセージは、電子メールであることを特徴とする請求項４記載の通信端末。
【請求項７】
持ち主に支配されていない紛失状態である旨を伝える音声データを記憶するデータ記憶部と、
紛失状態であるか否かを記憶する紛失状態記憶部と、
紛失状態記憶部に紛失状態と記憶されている場合に、データ記憶部に記憶された音声データを処理装置により読み出して音声データを再生して、相手端末に、紛失した状態である旨を音声で応答する音声応答部と
を備えたことを特徴とする通信端末。
【請求項８】
前記データ記憶部は、さらに、相手端末を認証するための電話帳データを記憶し、
通信端末は、さらに、データ記憶部に記憶された電話帳データに基づいて、着信した相手端末の電話番号が電話帳データに登録されている登録番号か否かを解析する着信番号解析部を備え、
音声応答部は、着信番号解析部が、相手端末の電話番号が登録番号であることを判定した場合、相手端末に応答することを特徴とする請求項６記載の通信端末。
【請求項９】
前記データ記憶部は、さらに、紛失時の連絡先を示す連絡先データを記憶し、
音声応答部は、データ記憶部に記憶された連絡先データを処理装置により読み出して連絡先データから連絡先を再生して、相手端末に、連絡先への連絡を音声で依頼することを特徴とする請求項６記載の通信端末。
【請求項１０】
電話帳データを記憶するデータ記憶部を有する通信端末の電話帳データ検索方法において、
メッセージ受信部が、通信回線を介して、メッセージを受信するメッセージ受信工程と、
メッセージ解析部が、メッセージ受信部が受信したメッセージに電話帳データを検索する電話帳データ検索コマンドを含むか否かを処理装置により解析し、受信したメッセージが電話帳データ検索コマンドを含む場合に、データ記憶部に記憶された電話帳データを電話帳データ検索コマンドに従って処理装置により検索するメッセージ解析工程と、
返信メッセージ作成処理部が、メッセージ解析部で検索した電話帳データを含むメッセージを処理装置により作成する返信メッセージ作成処理工程と、
メッセージ送信部が、返信メッセージ作成処理部が作成したメッセージを、通信回線を介して送信するメッセージ送信工程と
を備えたことを特徴とする通信端末の電話帳データ検索方法。
【請求項１１】
持ち主に支配されていない紛失状態である旨を伝える音声データを記憶するデータ記憶部を有する通信端末の紛失状態音声応答方法において、
紛失状態記憶部が、紛失状態であるか否かを記憶する紛失状態記憶工程と、
音声応答部が、紛失状態記憶部に紛失状態と記憶されている場合に、データ記憶部に記憶された音声データを処理装置により読み出して音声データを再生して、相手端末に、紛失した状態である旨を音声で応答する音声応答工程と
を備えたことを特徴とする通信端末の紛失状態音声応答方法。
【請求項１２】
電話帳データを記憶するデータ記憶部を有する通信端末の電話帳データ検索プログラムにおいて、
メッセージ受信部が、通信回線を介して、メッセージを受信するメッセージ受信工程と、
メッセージ解析部が、メッセージ受信部が受信したメッセージに電話帳データを検索する電話帳データ検索コマンドを含むか否かを処理装置により解析し、受信したメッセージが電話帳データ検索コマンドを含む場合に、データ記憶部に記憶された電話帳データを電話帳データ検索コマンドに従って処理装置により検索するメッセージ解析工程と、
返信メッセージ作成処理部が、メッセージ解析部で検索した電話帳データを含むメッセージを処理装置により作成する返信メッセージ作成処理工程と、
メッセージ送信部が、返信メッセージ作成処理部が作成したメッセージを、通信回線を介して送信するメッセージ送信工程と
をコンピュータに実行させることを特徴とする通信端末の電話帳データ検索プログラム。
【請求項１３】
持ち主に支配されていない紛失状態である旨を伝える音声データを記憶するデータ記憶部を有する通信端末の紛失状態音声応答プログラムにおいて、
紛失状態記憶部が、紛失状態であるか否かを記憶する紛失状態記憶工程と、
音声応答部が、紛失状態記憶部に紛失状態と記憶されている場合に、データ記憶部に記憶された音声データを処理装置により読み出して音声データを再生して、相手端末に、紛失した状態である旨を音声で応答する音声応答工程と
をコンピュータに実行させることを特徴とする通信端末の紛失状態音声応答プログラム。
【発明の詳細な説明】
【技術分野】
【０００１】
本発明は、例えば、通信端末及び電話帳データ検索方法及び紛失状態音声応答方法に関するものであり、特に、通信端末の遠隔操作による電話帳データ検索方法及び紛失状態音声応答方法に関する。
【背景技術】
【０００２】
従来技術として、通信端末の紛失時に電話帳の遠隔に操作し、電話帳の再生を実施するもの（特許公開２００３−１６９１３８「電話番号情報再生システム、電話番号情報再生型移動端末、電話番号情報再生サーバ及びその方法」）がある。これは電話番号情報再生サーバを利用して通話履歴情報を抽出し、電話帳を再生するシステムである。
【０００３】
また、個人情報を消去する（特許公開２００４−２２９２４０「携帯電話機」）技術は、以前から存在したが、個人情報を消去する必要があるのは、着脱可能な外部メモリ内の情報であるが、端末をロックするだけで保護が可能な内部メモリも消去している。また、紛失した通信端末を遠隔制御するために別の携帯電話端末等からの呼び出しを行い、制御信号を送っている。
【特許文献１】特開２００３−１６９１３８号公報
【特許文献２】特開２００４−２２９２４０号公報
【発明の開示】
【発明が解決しようとする課題】
【０００４】
特開２００３−１６９１３８号公報では、電話番号情報再生サーバを利用して通話履歴情報を抽出し、電話帳を再生するシステムであるため、通信記録に残っていない相手や、通信記録に残らない住所や誕生日といった情報を読み出すことはできないという課題がある。
【０００５】
また、例えば、通信端末を紛失した場合に個人情報を消去する必要があるのは、着脱可能な外部メモリ内の情報であるが、特開２００４−２２９２４０号公報では、端末をロックするだけで保護が可能な内部メモリも消去しているため、紛失した端末が見つかった際には個人情報が全て消えている状態であるため、情報を復旧させるという手間が生じるという課題がある。さらに、紛失した通信端末に対して、遠隔操作でロックする技術は以前から存在したが、所有者が通信端末を紛失した事実を知らない人が所有者に連絡を試みた際に対する考慮はされていないという課題がある。また、紛失した通信端末を遠隔制御するために別の携帯電話端末等からの呼び出しを行い、制御信号を送っているので、呼び出しを利用した制御では、制御される側の端末は電源がＯＮであり、かつ圏内である必要があるという課題がある。
【０００６】
本発明は、以上のような課題を解決するためになされており、通信端末を紛失した際に、通信端末内に記憶されていた電話帳に登録された相手と連絡を取れないという不便さを解消し、さらに、個人情報の流出を防止することを目的とする。
【課題を解決するための手段】
【０００７】
本発明に係る通信端末は、
電話帳データを記憶するデータ記憶部と、
通信回線を介して、メッセージを受信するメッセージ受信部と、
メッセージ受信部が受信したメッセージに電話帳データを検索する電話帳データ検索コマンドを含むか否かを処理装置により解析し、受信したメッセージが電話帳データ検索コマンドを含む場合に、データ記憶部に記憶された電話帳データを電話帳データ検索コマンドに従って処理装置により検索するメッセージ解析部と、
メッセージ解析部で検索した電話帳データを含むメッセージを処理装置により作成する返信メッセージ作成処理部と、
返信メッセージ作成処理部が作成したメッセージを、通信回線を介して送信するメッセージ送信部と
を備えたことを特徴とする。
【発明の効果】
【０００８】
本発明によれば、紛失した通信端末が他の端末からのメッセージを受信して、受信したメッセージにより遠隔操作で紛失した通信端末を制御できるので、紛失した通信端末内に記憶されている電話帳に登録された相手と連絡を取れないという不便さを解消し、さらに、個人情報の流出を防止することができるという効果を奏する。
【発明を実施するための最良の形態】
【０００９】
図１は、実施の形態１における通信端末１のハードウェア資源の一例を示す図である。
【００１０】
図１において、通信端末１は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、フラッシュメモリ９１６、通信ボード９１５、表示装置９０１、キーボード９０２、マウス９０３、ＦＤＤ９０４、ＣＤＤ９０５、プリンタ９０６、スキャナ９０７、タッチパネル９０９、スピーカ９１７、マイク９１８、カメラ９１９、磁気ディスク装置９２０と接続され、これらのハードウェアデバイスを制御する。磁気ディスク装置９２０の代わりに、光ディスク装置、メモリカード読み書き装置などの記憶装置でもよい。
【００１１】
ＲＡＭ９１４は、揮発性メモリの一例である。ＲＯＭ９１３、フラッシュメモリ９１６、ＦＤＤ９０４、ＣＤＤ９０５、磁気ディスク装置９２０の記憶媒体は、不揮発性メモリの一例である。これらは、記憶装置あるいは記憶部の一例である。
【００１２】
通信ボード９１５、キーボード９０２、スキャナ９０７、ＦＤＤ９０４、タッチパネル９１９などは、入力部、入力装置の一例である。
【００１３】
また、通信ボード９１５、表示装置９０１、プリンタ９０６などは、出力部、出力装置の一例である。
【００１４】
通信ボード９１５は、ファクシミリ機９３２、電話器９３１、ＬＡＮ９４２等に接続されている。通信ボード９１５は、電話基地局、無線ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
【００１５】
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００１６】
上記プログラム群９２３には、以下に述べる実施の形態の説明において「〜部」、「〜手段」として説明する機能を実行するプログラムが記憶されている。プログラムは、ＣＰＵ９１１により読み出され実行される。
【００１７】
ファイル群９２４には、以下に述べる実施の形態の説明において、「〜の判定結果」、「〜の計算結果」、「〜の処理結果」として説明する情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
【００１８】
また、以下に述べる実施の形態の説明において説明するフローチャートの矢印の部分は主としてデータや信号の入出力を示し、データや信号値は、ＲＡＭ９１４のメモリ、フラッシュメモリ９１６のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号は、バス９１２や信号線やケーブルその他の伝送媒体によりオンライン伝送される。
【００１９】
また、以下に述べる実施の形態の説明において「〜部」、「〜手段」として説明するものは、「〜回路」、「〜装置」、「〜機器」であってもよく、また、「〜ステップ」、「〜手順」、「〜処理」であってもよい。すなわち、「〜部」、「〜手段」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フラッシュメモリ、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、以下に述べる「〜部」、「〜手段」としてコンピュータを機能させるものである。あるいは、以下に述べる「〜部」、「〜手段」の手順や方法をコンピュータに実行させるものである。
【００２０】
実施の形態１．
実施の形態１について図２〜図４を用いて説明する。
【００２１】
本実施の形態では、例えば通信端末１が紛失などにより手元に無い場合に、通信端末１の所有者であるユーザーが遠隔操作によって通信端末１に登録された電話帳のデータの読み出しを行う電話帳データ検索方法について説明する。
【００２２】
まず、図２を用いて、実施の形態１にかかる通信端末１の構成について説明する。図２は、実施の形態１における通信端末１の機能ブロック図である。
【００２３】
通信端末１は、通信回線を介して基地局２を経由して相手機３（通信端末、ＰＣ）とメッセージ２００の送受信を行う。通信端末１は、メッセージ送受信部１０（メッセージ受信部、メッセージ送信部）、制御部２０、データ記憶部３００を備えている。制御部２０は、相手先認証部２１、メッセージ解析部２２、返信メッセージ作成処理部２３を備えている。データ記憶部３００は、メモリ３０を備えており、メモリ３０にはメッセージ２００の差出人を認証するための相手先登録情報３１、電話帳データ３２が記憶される。
【００２４】
メッセージ送受信部１０（メッセージ受信部、メッセージ送信部）は、通信回線を介して基地局２を経由して相手機３（通信端末、ＰＣ等）とメッセージ２００の送受信を行う。メッセージ送受信部１０は、メッセージ２００を受信し、また、後述する返信メッセージ作成処理部２３が作成したメッセージ２００を、通信回線を介して送信する。
【００２５】
メッセージ送受信部１０が受信するメッセージ２００は、例えば電子メールである。また、メッセージ送受信部１０が送信するメッセージ２００は、例えば電子メールである。通信端末１の紛失時に、ユーザーが紛失した通信端末１に記憶されている電話帳データ３２の情報を読み出したい場合、電話帳検索コマンドを含む電子メール等のメッセージ２００（以下、電話帳検索メッセージという）を通信端末１に送信する。通信端末１に電話帳検索メッセージが送信された場合に通信端末１が電源ＯＦＦあるいは通信圏外などのメッセージ受信不可能状態にあったとしても、後に通信端末１が電源ＯＮになるか通信圏内になった時点で通信端末１はメッセージを受け取ることができる。メッセージ送受信部１０は、メッセージ受信部の一例であり、また、メッセージ送信部の一例である。
【００２６】
制御部２０は、通信端末１の各種制御を行う。
【００２７】
相手先認証部２１は、基地局２を介してメッセージ２００を送信してきた相手機３を認証する。すなわち、データ記憶部３００に記憶されている相手先登録情報３１に基づいて、メッセージ２００の差出人を認証する。
【００２８】
メッセージ解析部２２は、メッセージ内容を解析して目的の処理を実施する。メッセージ解析部２２は、メッセージ送受信部１０が受信したメッセージ２００が電話帳データ３２の検索を要求する電話帳データ検索コマンドを含むか否かを処理装置により解析する。そして、受信したメッセージ２００が電話帳データ検索コマンドを含む電話帳検索メッセージの場合に、メッセージ解析部２２は、データ記憶部３００に記憶された電話帳データ３２を電話帳データ検索コマンドに従って処理装置により検索する。
【００２９】
返信メッセージ作成処理部２３は、メッセージ解析部２２が実施した処理に対する返信メッセージを作成する。返信メッセージ作成処理部２３は、メッセージ解析部２２で検索して取得して電話帳データ３２の情報を含むメッセージ２００を処理装置により作成する。
【００３０】
メモリ３０には、読出しの対象となる電話帳データ３２が格納される。
【００３１】
また、メモリ３０には、遠隔操作により通信端末１の電話帳データ３２の読出しをすることを、通信端末１のユーザーが予め許可した相手先（相手先端末）が、相手先登録情報３１として格納される。
【００３２】
次に、図３を用いて、実施の形態１における電話帳データ検索方法（電話帳データ検索プログラム）の動作について説明する。
【００３３】
図３は、実施の形態１における電話帳データ検索方法（電話帳データ検索プログラム）の動作の流れを示すフローチャートである。
【００３４】
＜前工程＞
通信端末１の所有者（ユーザー）は、通信端末１の電話帳データ３２の読出しをすることをユーザーが許可した相手先（相手先端末）を、メモリ３０の相手先登録情報３１に予め登録しておく。
【００３５】
＜コマンド送信工程＞
まず、ユーザー（通信端末１の所有者）が、例えば紛失等により通信端末１が手元にないときに通信端末１内の電話帳データ３２を取得したい場合、メモリ３０内の相手先登録情報３１に登録した相手機３（端末）から指定された形式の電話帳検索コマンドを含むメッセージ２００（電話帳検索メッセージ）を通信端末１に送信する（ＳＴ１）。
【００３６】
ここで送信する電話帳検索メッセージはモード識別情報、電話帳検索方法、電話帳検索キー等の情報を含む。
【００３７】
まず、モード識別情報は、メッセージ２００が電話帳を読み出すためのものであることを識別する情報である。ユーザーは、電話帳読み出し要求のために予め指定された文字列（文句）を、メッセージ２００の件名等に入力する。このメッセージ２００を受信した通信端末１は、モード識別情報（メッセージ２００の件名）により電話帳読出し要求かどうかを判断する。
【００３８】
電話帳検索方法は、電話帳データ３２内において読み出したい情報の検索方法を示す情報である。電話帳検索方法は、例えば、メモリナンバー検索やフリガナ検索など電話帳のデータを検索するための方法を指定する。
【００３９】
電話帳検索キーは、電話帳検索方法で指定された方法で、電話帳のうちのどの情報を読み出すかを決定するためのキー情報である。
【００４０】
＜メッセージ受信工程＞
メッセージ送受信部１０（メッセージ受信部）が、メッセージ２００を受信する（ＳＴ２）。
【００４１】
＜メッセージ解析工程＞
メッセージ送受信部１０は、受信したメッセージ２００を制御部２０に出力する。メッセージ解析部２２は、入力したメッセージ２００内のモード識別情報を処理装置により判別し、メッセージ２００の要求が何かを処理装置により識別する（ＳＴ３）。
【００４２】
メッセージ解析部２２がメッセージ２００のモード識別情報が電話帳読出し要求であると処理装置により識別した場合（ＳＴ４−ＹＥＳ）、相手先認証部２１は、相手先（送信元）の認証処理を行う。すなわち、相手先認証部２１は、相手先（送信元）がメモリ３０の相手先登録情報３１に登録されているか否かを処理装置により確認することで相手先認証処理を行う（ＳＴ５）。
【００４３】
メッセージ解析部２２がメッセージ２００のモード識別情報が電話帳読出し要求でないと処理装置により識別した場合（ＳＴ４−ＮＯ）、通信端末１は、メッセージ２００を通常のメッセージとして受信フォルダ（記憶装置）に保存する（ＳＴ１４）。
【００４４】
受信したメッセージ２００の相手先（送信元）がメモリ３０の相手先登録情報３１に登録されておらず、相手先が認証されない場合（ＳＴ６−ＮＯ）、何も行わず終了する（ＳＴ１５）。
【００４５】
受信したメッセージ２００の相手先（送信元）がメモリ３０の相手先登録情報３１に登録されており相手先が認証された場合（ＳＴ６−ＹＥＳ）、メッセージ解析部２２は、メッセージ２００内の電話帳検索方法の情報と電話帳検索キーの情報とを利用して処理装置により電話帳データ３２内を検索する。メッセージ解析部２２は、処理装置による検索によりヒットした検索結果である電話帳データ３２の情報を取得してメモリに記憶し（ＳＴ７）、取得してメモリに記憶した検索結果の情報を返信メッセージ作成処理部２３に出力する。
【００４６】
＜返信メッセージ作成処理工程＞
返信メッセージ作成処理部２３は、入力した検索結果の電話帳データ３２の情報に基づいて返信メッセージを処理装置により作成する（ＳＴ８）。
【００４７】
＜メッセージ送信工程＞
メッセージ送受信部（メッセージ送信部）１０は、返信メッセージ作成処理部２３が処理装置により作成した返信メッセージを、通信回線を介して相手先（送信元）へ送信する（ＳＴ９）。
【００４８】
図４は、実施の形態１における電話帳読出しのメッセージ２００の一例を示した図である。ここでは、通信端末Ａは紛失した端末である。通信端末Ｂは、通信端末Ａが紛失等により手元にない場合に、遠隔操作により通信端末Ａの電話帳読出しをすることができる端末である。すなわち、通信端末Ｂは、通信端末Ａの電話帳の読み出しを許可されている端末として通信端末Ａの相手先登録情報３１に予め登録されている。
【００４９】
ユーザーは、通信端末Ａに対し、通信端末Ｂから電話帳読出しモードで、検索方法をフリガナ検索とし、検索キーを「タナカ」としてメッセージを送信する。メッセージを受け取った通信端末Ａは該当する情報を電話帳から検索し、結果を通信端末Ｂに送信する。通信端末Ｂは結果を受け取り、希望した電話帳の情報を閲覧することができる。
【００５０】
ここで、通信端末１は、例えば、携帯電話端末、ＰＨＳ（登録商標）（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等でもよい。また、通信機能を有するデジタルカメラ、ノートパソコン、携帯音楽プレーヤー等でもよい。
【００５１】
以上のように、実施の形態１における通信端末１は、メッセージ２００を送受信するメッセージ送受信手段（メッセージ送受信部１０）と、電話帳データ３２と相手先登録情報３１を記憶する記憶手段（データ記憶部３００）と、受信したメッセージの差出人を認証する相手先認証手段（相手先認証部２１）と、受信したメッセージの内容を解析するメッセージ解析手段（メッセージ解析部２２）と、返信メッセージを自動的に作成する返信メッセージ作成処理手段（返信メッセージ作成処理部２３）を備え、前記メッセージ解析手段は、受信したメッセージが電話帳データ検索コマンドを含む場合に、該当する電話帳データを記憶手段より検索し、前記返信メッセージ作成処理手段は、前記メッセージ解析手段で検索した電話帳データを含むメッセージを作成することを特徴とする。
【００５２】
以上のように、実施の形態１における通信端末１によれば、通信端末１を紛失した際でも、紛失した通信端末１を所有するユーザーが、通信端末１に登録している電話帳データ３２の情報のバックアップを取っていなくても、遠隔操作により電話帳データ３２の情報を取得することができるという効果を奏する。また、ユーザーは、電子メール等のメッセージを利用して通信端末１の制御を行うことができるので、ユーザーは紛失に気づいた時点で電話帳検索メッセージを送信しておけば、たとえ通信端末１が電源ＯＦＦあるいは通信圏外などのメッセージ受信不可能状態にあったとしても、後に通信端末１が後にメッセージ受信可能となった時点で制御可能となるという効果を奏する。
【００５３】
実施の形態２．
実施の形態２について図５〜図６を用いて説明する。
【００５４】
本実施の形態では、例えば通信端末１が紛失などにより手元に無い場合に、ユーザーが電子メール等のメッセージを利用した遠隔操作によって通信端末１のロックをして内部メモリの情報を保護し、かつ外部メモリの情報を消去する端末制御方法について説明する。
【００５５】
まず、図５を用いて実施の形態２にかかる通信端末１の構成について説明する。図５は、実施の形態２にかかる通信端末１の機能ブロック図である。ここで、実施の形態１で説明したものと同じ機能、動作を有する機能ブロックについては同じ符号を付し、その説明を省略する。
【００５６】
実施の形態１との相違点は、通信端末１の制御部２０内に、さらに、外部メモリ消去部２４と端末制御部２５とを備える。また、通信端末１は、情報を記憶できる外部メモリ４０を装着する外部メモリ装着部４００を備えている。外部メモリ４０には、個人情報４１が記憶されている。
【００５７】
通信端末１の紛失時に、ユーザーが紛失した通信端末１の内部メモリおよび外部メモリに記憶されている情報の流出を防止したい場合、情報流出防止を要求する情報流出防止コマンドを含む電子メール等のメッセージ２００（以下、情報流出防止メッセージという）を通信端末１に送信する。通信端末１に情報流出防止メッセージが送信された場合、たとえ通信端末１が電源ＯＦＦあるいは通信圏外などのメッセージ受信不可能状態にあったとしても、後に通信端末１が電源ＯＮになるか通信圏内になった時点で通信端末１はメッセージを受け取ることができる。メッセージ送受信部１０は、メッセージ受信部の一例であり、メッセージ送信部の一例である。
【００５８】
制御部２０において、メッセージ解析部２２は、メッセージ送受信部１０が受信したメッセージ２００に情報流出防止を要求する情報流出防止コマンドを含むか否かを処理装置により解析する。
【００５９】
外部メモリ消去部２４は、メッセージ解析部２２による解析の結果、受信したメッセージに情報流出防止コマンドを含まれていることが判明した場合に、外部メモリ４０に記憶された個人情報４１を処理装置により消去する。
【００６０】
また、端末制御部２５は、メッセージ解析部２２による解析の結果、受信したメッセージに情報流出防止コマンドを含まれていることが判明した場合に、外部メモリ消去部２４の処理と電源ＯＮ／ＯＦＦの処理とを除く他の処理を処理装置により制限する。すなわち端末制御部２５は、外部メモリ消去部２４の処理と電源ＯＮ／ＯＦＦ処理以外の処理の操作をロックする。
【００６１】
次に、図６を用いて、実施の形態２における端末制御方法（端末制御プログラム）の動作について説明する。
【００６２】
図６は、実施の形態２における端末制御方法（端末制御プログラム）の動作の流れを示すフローチャートである。
【００６３】
図６において、実施の形態１と同じ動作および処理については、同じ符号を付し、その説明を省略する。
【００６４】
前工程として、紛失した通信端末１は、外部メモリ４０を備えており、外部メモリ４０には個人情報４１が記憶されているものとする。外部メモリ４０とは、例えば、ＣｏｍｐａｃｔＦｌａｓｈ（登録商標）やＳｍａｒｔＭｅｄｉａ（登録商標）、ＳＤ（Ｓｅｃｕｒｅ  Ｄｉｇｉｔａｌ）メモリーカード、メモリースティックなどがある。
【００６５】
ユーザー（通信端末１の所有者）が、例えば紛失等により通信端末１が手元にないときに通信端末１内の電話帳データ３２を取得したい場合あるいは通信端末１内の情報の流出を防止したい場合に、メモリ３０内の相手先登録情報３１に登録した相手機３（端末）から、指定された形式の電話帳検索コマンドあるいは情報流出防止コマンドを含むメッセージ２００（電話帳検索メッセージあるいは情報流出防止コマンド）を通信端末１に送信する（ＳＴ１）。
【００６６】
電話帳検索メッセージは、実施の形態１で説明したようにモード識別情報、電話帳検索方法、電話帳検索キー等の情報を含む。
【００６７】
情報流出防止メッセージは、モード識別情報、外部メモリ内の消去する項目等の情報を含む。モード識別情報は、メッセージ２００が個人情報流出防止を要求したものであることを識別する情報である。予め指定された文字列（文句）を件名などに入力しておき、メッセージ２００を受信した通信端末１がメッセージ２００の件名を参照することにより、モード識別情報が個人情報流出防止要求かどうかを判断する。
【００６８】
外部メモリ内の消去する項目は、外部メモリ４０のうち消去したい項目を指定した情報である。例えば、電話帳、受信メール、画像、Ｂｏｏｋｍａｒｋなどを指定する。
【００６９】
ＳＴ２からＳＴ３は、実施の形態１と同じである。
【００７０】
メッセージ解析部２２が、メッセージ２００内のモード識別情報が電話帳読み出し要求ではないと処理装置により判断した場合（ＳＴ４）、ＳＴ１０に進む。
【００７１】
メッセージ解析部２２が、メッセージ２００内のモード識別情報が個人情報流出防止要求であると処理装置により確認した場合（ＳＴ１０−ＹＥＳ）、相手先認証部２１は、メモリ３０の相手先登録情報３１に登録された相手先（送信元）からのメッセージかどうか処理装置により判断し認証処理を行う（ＳＴ１１）。
【００７２】
メッセージ解析部２２が、メッセージ２００内のモード識別情報が情報流出防止要求でないと処理装置により確認した場合（ＳＴ１０−ＮＯ）、通信端末１はメッセージ２００を通常のメッセージとして受信フォルダ（記憶装置）に保存する（ＳＴ１４）。
【００７３】
受信したメッセージ２００（情報流出防止メッセージ）の送信元が相手先登録情報３１に登録されておらず相手先認証部２１が相手先を認証できない場合（ＳＴ１２−ＮＯ）、何も行わず終了する（ＳＴ１６）。
【００７４】
受信したメッセージ２００の送信元が相手先登録情報３１登録されており相手先認証部２１が相手先を認証した場合（ＳＴ１２−ＹＥＳ）、端末制御部２５は、通信端末１を処理装置によりロックする。すなわち、端末制御部２５は、通信端末１を電源のＯＮ／ＯＦＦ以外の操作ができないようにロックする。
【００７５】
ロックとは、例えば、各種メニュー機能の操作、電話番号をダイヤルして電話をかける操作、個人情報にアクセスする操作等の入力装置等を利用して行う操作を無効にすることである。通信端末をロックすることにより、置き忘れや紛失時であっても第三者により不正に使用されることを防ぐことができる。つまり、通信端末１をロックすることにより、通信端末１の内部メモリの情報を保護することができる。
【００７６】
さらに、外部メモリ消去部２４は、外部メモリ４０内の個人情報４１のうち、情報流出防止メッセージに指定された項目を外部メモリ４０から処理装置により消去する（ＳＴ１３）。
【００７７】
返信メッセージ作成処理部２３は、処理完了を通知する返信メッセージを作成する（ＳＴ８）。メッセージ送受信部１１は、返信メッセージ作成処理部２３が作成した返信メッセージを送信する（ＳＴ９）。
【００７８】
以上のように、実施の形態２にかかる通信端末１は、メッセージを送受信するメッセージ送受信部１０と、外部メモリ装着部４００と、受信したメッセージの差出人を認証する相手先認証部２１と、受信したメッセージの内容を解析するメッセージ解析部２２と、電源のＯＮ／ＯＦＦ以外の機能を制限する端末制御部２５と、個人情報流出の危険がある外部メモリ内の個人情報を消去する外部メモリ消去部２４を備え、前記メッセージ解析部２２は、受信したメッセージが個人情報流出防止コマンドを含む場合に、端末制御部２５により端末をロックし、外部メモリ消去部２４により外部メモリ４０内の任意の個人情報４１を消去することを特徴とする。
【００７９】
以上のように、実施の形態２にかかる通信端末１によれば、通信端末１を紛失した場合にユーザーは、電子メール等のメッセージ２００を送信することにより、通信端末１をロックして内部メモリの情報の流出を防止し、外部メモリ４０の情報は消去することにより、個人情報４１が流出することを防止することができるという効果を奏する。
【００８０】
実施の形態３．
実施の形態３について図７〜図８を用いて説明する。
【００８１】
本実施の形態では、例えば紛失した通信端末１に着信があった場合、発信者（着信元）へ音声により該通信端末１が紛失した状態である旨を通知し、さらに、紛失した通信端末１の所有者であるユーザーへの「仮の連絡先」を通知する紛失状態音声応答処理について説明する。
【００８２】
まず、図７を用いて実施の形態３にかかる通信端末１の構成について説明する。図７は、実施の形態３にかかる通信端末１の機能ブロック図である。ここで、実施の形態１で説明したものと同じ機能、動作を有する機能ブロックについては同じ符号を付し、その説明を省略する。
【００８３】
図７において、通信端末１は、制御部２０と、データ記憶部３００と、通信端末１の発着信を担う無線部５０と、音声再生部６０とを具備する。
【００８４】
データ記憶部３００は、メモリ３０を備え、メモリ３０には、電話帳データ３２、紛失状態になった場合の「仮の連絡先」である連絡先データ３３、状態モード３４、音声データ３６が格納されている。
【００８５】
また、データ記憶部３００は、通信端末１が紛失状態であるか否かを記憶する紛失状態記憶部３５を備えている。通信端末１は、紛失等の場合にユーザーが通信端末１を遠隔ロックすることにより紛失状態モードとなるものとする。紛失状態記憶部３５は、通信端末１が遠隔ロックにより紛失状態モードとなった場合に、状態モード３４に「紛失状態」と記憶する。
【００８６】
実施の形態１で説明した電話帳データ３２は基本的には実施の形態１と同じであるが、本実施の形態では、後述する着信番号解析部２６が、電話帳データ３２に基づき発信者（着信元）である相手機３（端末）を認証する。すなわち、本実施の形態にかかる通信端末１は、発信者（着信元）である相手機３（端末）が電話帳データ３２に登録されている場合に、紛失状態音声応答処理を行う。
【００８７】
通信端末１のユーザーは、紛失した通信端末１に着信があった場合に、発信者（着信元）に紛失した通信端末１の所有者であるユーザーの「仮の連絡先」を通知するための連絡先を予め入力装置より入力することにより通信端末１に登録しておく。データ記憶部３００は、ユーザーが登録したこの「仮の連絡先」を連絡先データ３３としてメモリ３０に記憶する。連絡先データ３３は、例えば、自宅の電話番号やその他の電話番号である。また、メールアドレス等でもよい。
【００８８】
通信端末１は、通信端末１が持ち主に支配されていない紛失状態である旨のメッセージ（以下、紛失メッセージという）を伝える音声データ３６を予めメモリ３０に記憶している。音声データ３６は、例えば、「ただいま紛失状態です」等の音声データである。通信端末１は、予め複数のバリエーションを持つ紛失メッセージの音声データ３６を記憶しておき、ユーザーが選択できるようにしてもよい。また、ユーザーが通信端末１の入力装置等から入力することで紛失メッセージを作成できるようにしてもよい。
【００８９】
音声再生部６０は、紛失状態記憶部３５により状態モード３４が「紛失状態」と記憶されている場合に、データ記憶部３００に記憶された音声データ３６を処理装置により読み出して音声データ３６を再生して、相手端末に、紛失した状態である旨を音声で応答する。音声再生部６０は、音声応答部の一例である。すなわち、音声再生部６０は、通信端末１の初期状態（例えば、購入時等）において予め音声データ３６に格納されている紛失状態である旨（紛失メッセージ）に、予めユーザーが連絡先データ３３に登録した紛失時の「仮の連絡先」を自動的に組み込み、音声として発信する。「仮の連絡先」の音声再生は、各数字に対する音声データを予め記憶装置に保有し、連絡先データ３３に登録されている電話番号の各番号に対応する音声を再生することにより実現する。音声再生部６０は、ランタイム処理を行うことにより、紛失状態である旨の音声データの再生と、仮の連絡先の音声変換、音声再生を行うようにしてもよい。
【００９０】
着信番号解析部２６は、データ記憶部３００に記憶された電話帳データ３２に基づいて、着信した相手機３（端末）の電話番号が電話帳データ３２に登録されている登録番号か否かを解析する。すなわち、実施の形態３における通信端末１は、着信番号解析部２６が着信した相手機３（端末）の電話番号が電話帳データ３２に登録されていると判断した場合に、紛失状態音声応答処理を行う。
【００９１】
音声再生部６０（音声応答部）は、着信番号解析部２６が、相手機３（端末）の電話番号が登録番号であることを判定した場合、相手機３（端末）に音声により応答する。音声再生部６０は、データ記憶部３００に記憶された連絡先データ３３を処理装置により読み出して連絡先データ３３から連絡先を再生して、相手機３（端末）に、通知した連絡先への連絡を音声で依頼するようにしてもよい。
【００９２】
次に、図８を用いて、実施の形態３における紛失状態音声応答方法（紛失状態音声応答プログラム）の動作について説明する。
【００９３】
図８は、実施の形態３における紛失状態音声応答方法（紛失状態音声応答プログラム）の動作の流れを示すフローチャートである。
【００９４】
紛失状態記憶部３５が、通信端末１が「紛失状態」であるか否かをメモリ３０に状態モード３４として記憶する（紛失状態記憶工程）。紛失状態記憶部３５は、置き忘れや紛失等のために遠隔操作等により通信端末１が遠隔ロックされ紛失状態モードとなった場合に、メモリ３０に状態モード３４として「紛失状態」と記憶する。
【００９５】
ここで、遠隔ロックとは、通信端末１の置き忘れや紛失時に予めユーザーが設定した他の電話機や公衆電話から遠隔操作することにより、第三者の不正使用を防ぐことである。ユーザーは、例えば、監視時間と着信回数を予め通信端末１に登録しておく。例えば、監視時間は３分、着信回数５回と登録したとする。ユーザーは、通信端末の置き忘れや紛失時に、予め設定した発信元から紛失した通信端末１へ３分以内に５回かけることにより、通信端末を遠隔ロックすることができる。
【００９６】
通信端末１に着信したとき（ＳＴ１）、制御部２０は、メモリ３０の状態モード３４を参照し通信端末１が紛失状態モードであるか否かの確認を処理装置により行う（ＳＴ２）。制御部２０が処理装置より通信端末１が紛失状態モードで無いと判断した場合（ＳＴ３−ＮＯ）、通信端末１は通常着信として動作する（ＳＴ４）。
【００９７】
一方、制御部２０が処理装置により通信端末１が紛失状態モードであると確認した場合（ＳＴ３−ＹＥＳ）、着信番号解析部２６は、発信者（すなわち着信元）の電話番号がメモリ３０の電話帳データ３２に登録されているかを処理装置により確認する（ＳＴ５）。
【００９８】
発信者が電話帳データ３２に登録されていない場合（ＳＴ６−ＮＯ）、制御部２０は通信端末１を自動切断する（ＳＴ−７）。すなわち、通信端末１の遠隔ロック（ダイアルロック）中は、電話帳データ３２に登録されている発信者以外からの着信を拒否する。このように、通信端末１は、遠隔ロック中に電話帳データ３２に登録されている発信者以外から着信した場合は着信を拒否し、着信履歴に不在着信として記録し、さらに、相手先には話中音を流すようにしてもよい。
【００９９】
発信者が電話帳データ３２に登録されている場合（ＳＴ６−ＹＥＳ）、音声再生部６０は、メモリ３０から処理装置により連絡先データ３３を取得して記憶装置に記憶する。そして、音声再生部６０は、紛失状態である旨（紛失メッセージ）と取得した連絡先データ３３についての音声を処理装置により再生する（ＳＴ９：音声応答工程）。
【０１００】
ここで、音声再生部６０の音声応答処理について説明する。音声再生部６０は、発信者（すなわち、着信元）の電話番号がメモリ３０の電話帳データ３２に登録されている場合（ＳＴ６―ＹＥＳ）に、紛失状態である旨のメッセージ（紛失メッセージ）をメモリ３０の音声データ３６から処理装置により読み出し、記憶装置に記憶する。さらに、音声再生部６０は、紛失した通信端末１のユーザーが予め登録した「仮の連絡先」をメモリ３０の連絡先データ３３から処理装置により取得して、記憶装置に記憶する。そして、音声再生部６０は、紛失状態である旨（紛失メッセージ）と取得した連絡先データ３３についての音声を処理装置により再生する。
【０１０１】
例えば、「ただいま紛失状態です。連絡先は○○○○（連絡先データ（電話番号））です」あるいは「現在、紛失状態ですので、○○○○（連絡先データ（電話番号））までご連絡下さい」のように音声で応答する。連絡先データ３３に「仮の連絡先」が登録されていない場合は、「ただいま紛失状態です」とのみ音声通知してもよい。また、処理をシンプルにするために、「ただいま紛失状態です。連絡先は（無言）です。」としても構わない。
【０１０２】
「仮の連絡先」の音声再生は、各数字に対する音声データを予め音声データ３６に保有し、音声再生部６０が登録されている電話番号の各番号に対応する音声を再生することで実現する。
【０１０３】
以上のように、実施の形態３にかかる通信端末１は、電話帳データ３２を記憶するデータ記憶部３００と、着信した相手が電話帳データ３２に登録されているかを解析する着信番号解析部２６と、紛失状態であるかを記憶する紛失状態記憶部３５と、通信相手に音声で応答する音声応答部（音声再生部６０）を備え、前記音声応答部（音声再生部６０）は、紛失状態と記憶されている場合に、電話帳データ３２に登録されている番号から音声着信すると、通信相手に紛失した状態である旨と仮の連絡先を音声応答により知らせる。
【０１０４】
以上のように、実施の形態３にかかる通信端末１によれば、紛失した通信端末１に電話をかけてくる相手に対して、通信端末１が紛失状態である旨と現在の連絡先を音声で知らせることができるという効果を奏する。
【０１０５】
以上の、実施の形態１〜３の説明において、通信端末１が有する制御部２０において、相手先認証部２１、メッセージ解析部２２、返信メッセージ作成処理部２３、外部メモリ消去部２４、端末制御部２５、着信番号解析部２６は、それぞれ独立した機能ブロックとして構成されているが、ひとつの機能ブロックとしてもよい。あるいは、相手先認証部２１とメッセージ解析部２２と返信メッセージ作成処理部２３とをまとめてひとつの機能ブロックとし、他のブロックを独立した機能ブロックとしてもよい。あるいは、これらの機能ブロックを、他のどのような組み合わせで構成しても構わない。
【図面の簡単な説明】
【０１０６】
【図１】実施の形態１における通信端末１のハードウェア資源の一例を示す図である。
【図２】実施の形態１における通信端末１の機能ブロック図である。
【図３】実施の形態１における電話帳データ検索方法（電話帳データ検索プログラム）の動作の流れを示すフローチャートである。
【図４】実施の形態１における電話帳読出しのメッセージ２００の一例を示した図である。
【図５】実施の形態２にかかる通信端末１の機能ブロック図である。
【図６】実施の形態２における端末制御方法（端末制御プログラム）の動作の流れを示すフローチャートである。
【図７】実施の形態３にかかる通信端末１の機能ブロック図である。
【図８】実施の形態３における紛失状態音声応答方法（紛失状態音声応答プログラム）の動作の流れを示すフローチャートである。
【符号の説明】
【０１０７】
１  通信端末、２  基地局、３  相手機、１０  メッセージ送受信部、２０  制御部、２１  相手先認証部、２２  メッセージ解析部、２３  返信メッセージ作成処理部、２４  外部メモリ消去部、２５  端末制御部、２６  着信番号解析部、３０  メモリ、３１  相手先登録情報、３２  電話帳データ、３３  連絡先データ、３４  状態モード、３５  紛失状態記憶部、３６  音声データ、５０  無線部、６０  音声再生部、４０  外部メモリ、４１  個人情報、２００  メッセージ、３００  データ記憶部、４００  外部メモリ装着部、９０１  表示装置、９０２  キーボード、９０３  マウス、９０４  ＦＤＤ、９０５  ＣＤＤ、９０６  プリンタ、９０７  スキャナ、９０９  タッチパネル、９１１  ＣＰＵ、９１２  バス、９１３  ＲＯＭ、９１４  ＲＡＭ、９１５  通信ボード、９１６  フラッシュメモリ、９１７  スピーカ、９１８  マイク、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ。
【図１】
2007282150.tif 000003
【図２】
2007282150.tif 000004
【図３】
2007282150.tif 000005
【図４】
2007282150.tif 000006
【図５】
2007282150.tif 000007
【図６】
2007282150.tif 000008
【図７】
2007282150.tif 000009
【図８】
2007282150.tif 000010